(57)【要約】〔課題〕  雨天以外はいつでも、屋根で手軽にふとん干ができ、なおかつ、ふとん類など干物の落下や屋根の汚れを防止し、吸放湿性を有し、広げ易い敷物、ふとん干屋根ご座を提供する。〔解決手段〕  畳表（２）の全周を縁布（３）で縁取りした任意形状の基台（６）を複数繋ぎ合わせた上辺部（７）にふとん干屋根ご座（１）を掛止する吊紐（１１）を設け、下辺部（８）にふとん落下防止の折曲自在の落下止帯（１２）を設け、基台（６）を複数繋ぎ合わせた下辺部（８）の外側の角部（１０）に折り畳み開閉の開閉紐（１３）を設け、基台（６）を複数繋ぎ合わせた外側の側辺部（９）に折り畳み開閉を容易にする紐輪（１４）を設けて成ることを特徴とする。【選択図】  図１
2004329827.tif 000002
【特許請求の範囲】
【請求項１】
畳表（２）の全周を縁布（３）で縁取りした任意形状の基台（６）を複数繋ぎ合わせた上辺部（７）にふとん干屋根ご座（１）を掛止する吊紐（１１）を設け、下辺部（８）にふとん落下防止の折曲自在の落下止帯（１２）を設け、基台（６）を複数繋ぎ合わせた下辺部（８）の外側の角部（１０）に折り畳み開閉の開閉紐（１３）を設け、基台（６）を複数繋ぎ合わせた外側の側辺部（９）に折り畳み開閉を容易にする紐輪（１４）を設けて成るふとん干屋根ご座（１）。
【発明の詳細な説明】
【０００１】
〔発明の属する技術分野〕
この発明は、屋根でふとんを干す敷物に関するものである。
【０００２】
〔従来の技術〕
従来、屋根でふとんを干すときは、敷物を用いないで直にふとんを屋根に置いていた。しかし、昨今は大気が汚れているので屋根の汚れもひどい、従って天気がよくても、ふとんが汚れるので、雨あがりの晴天に限って、ふとんを干しているのが現状である。また屋根でふとんを干すための敷物はなかった。
【０００３】
〔発明が解決しようとする課題〕
天気のよい日はいつでも、ふとん干しができるのが望ましい。従って、屋根で、ふとん干しができる敷物が必要である。屋根には勾配があるので敷物やふとん等干物が落下しない物でなければならない。敷物の材質は吸放湿性を有している物、さらに扱い易く、屋根に広げ易く、屋根から撤収し易い物でなければならない。以上のような課題がある。
【０００４】
〔課題を解決するための手段〕
畳表（２）の全周を縁布（３）で縁取りした任意形状の基台（６）を複数繋ぎ合わせた上辺部（７）にふとん干屋根ご座（１）を掛止する吊紐（１１）を設け、下辺部（８）にふとん落下防止の折曲自在の落下止帯（１２）を設け、基台（６）を複数繋ぎ合わせた下辺部（８）の外側の角部（１０）に折り畳み開閉の開閉紐（１３）を設け、基台（６）を複数繋ぎ合わせた外側の側辺部（９）に折り畳み開閉を容易にする紐輪（１４）を設けて成るふとん干屋根ご座（１）。
本発明は以上の構成で課題を解決する。
【０００５】
〔発明の実施の形態〕
以下、本発明の実施の形態を図に基づいて詳細に説明する。
【０００６】
図１、図２の実施例は、長方形の畳表（２）の全周を縁布（３）で覆ったイグサ織り地の基台（６）の大小形状の異った物を３枚使用し、これを横方向に並べ、隣り合う基台（６）を繋糸（５）で繋ぎ合わせて、大人用掛ふとんより、やや大きい１枚とし、中央の基台（６）の上辺部（７）二箇所に吊紐（１１）を取り付け、下辺部（８）二箇所に落下止帯（１２）を取り付け、基台（６）の補強のため吊紐（１１）と落下止帯（１２）を繋ぐ補強帯（１８）を縫着し、繋ぎ合わせた３枚の基台（６）の内左右基台（６）下辺部（８）外側の角部（１０）に開閉紐（１３）を取り付け同左右基台（６）外側の側辺部（９）中央部に開閉を容易にする紐輪（１４）を取り付けその紐輪（１４）に開閉紐（１３）を通したふとん干屋根ご座である。
【０００７】
図１の、ふとん干屋根ご座（１）を使用してふとん干をする際、巻き込み仕舞になっている基台（６）の下辺部（８）の落下止帯（１２）が機能するように上向に曲げ、巻き込みを延ばし、ふとん干屋根ご座（１）の下部から屋根上に滑らし押し出し、繋ぎ合わせた３枚の基台（６）の左右基台（６）の側辺部（９）の上部と開閉紐（１３）を持って、効果的に同左右基台（６）を開放し広げ、吊紐（１１）を窓枠、または敷居等に設けた係止具に掛け止め、ふとんをふとん干屋根ご座（１）の上に置いてふとん干しをする。
【０００８】
図１の、ふとん干屋根ご座（１）を収納する際は、干していたふとんを収納した後、繋ぎ合わせた３枚の基台（６）の内左右基台（６）を中央基台（６）に折り畳み重ね、吊紐（１１）を係止具から外し、屋根から引き揚げ、ふとん干屋根ご座（１）の上部から巻き込み、下辺部（８）の落下止帯（１２）を収納し易く巻き込み状態に合わせ延ばして、巻き込み終了後、それを収納袋等に収納する。
【０００９】
図３、図４の実施例は、長方形の畳表（２）の全周を縁布（３）で覆ったイグサ織地の基台（６）の上辺部（７）二箇所に吊紐（１１）を取り付け、下辺部（８）二箇所に落下止帯（１２）を取り付け、基台（６）の補強のため吊紐（１１）と落下止帯（１２）を繋ぐ補強帯（１８）を縫着したもので、子供ふとんや座ぶとん等を干すことができる。
【００１０】
図５、図６の実施例は、長方形の畳表（２）の全周を縁布（３）で覆ったイグサ織地の基台（６）２枚を使用し、これを横方向に並べ、隣り合う基台（６）を繋糸（５）で繋ぎ合わせて１枚とし、繋ぎ合わせた基台（６）毎の上辺部（７）に吊紐（１１）を１箇づつと下辺部（８）に落下止帯（１２）を１箇づつ取り付け吊紐（１１）の先端に係止具（１９）を取り付け、基台（６）の補強のため吊紐（１１）と落下止帯（１２）を繋ぐ補強帯（１８）を縫着したもので、敷ふとんや毛布等幅狭な寝具等を干すことができる。
【００１１】
図７、図８の実施例は、長方形の畳表（２）の全周を縁布（３）で覆ったイグサ織地の基台（６）３枚を使用し、これを横方向に並べ、隣り合う基台（６）を繋糸（５）で繋ぎ合わせて、１枚とし、繋ぎ合わせた基台（６）の中央の基台（６）の上辺部（７）二箇所に吊紐（１１）を取り付け、下辺部（８）二箇所に落下止帯（１２）を取り付け、中央の基台（６）の補強のため吊紐（１１）と落下止帯（１２）を繋ぐ補強帯（１８）を縫着し、繋ぎ合わせた３枚の基台（６）の内左右基台（６）の下辺部（８）にそれぞれ１箇づつ落下止帯（１２）を取り付け、その落下止帯（１２）取付部に取付部補強のための任意形状の落下止帯補強帯（１５）を縫着し、繋ぎ合わせた３枚の基台（６）の内左右基台（６）下辺部（８）外側の角部（１０）に開閉紐（１３）を取り付け、同左右基台（６）外側の側辺部（９）中央部に開閉を容易にする紐輪（１４）を取り付け、その紐輪（１４）に開閉紐（１３）を通したものである。
【００１２】
図１１は、実施例において、繋ぎ合わせた３枚の基台（６）の内左右基台（６）の外側の側辺部（９）下部の角部（１０）より中央部に向かって側辺に側辺補強帯（１６）を縫着した部分拡大斜視図であり、繋ぎ合わせた３枚の基台（６）の内左右基台（６）を開放し広げる際、開閉紐（１３）を引張るために同左右基台（６）の下部の外側の角部（１０）からやや上に向かってたくれができ同左右基台（６）の開放に支障が生じる場合がある、この支障を取り除くために側辺補強帯（１６）を設けたものである。
【００１３】
本発明の落下止帯（１２）は可撓性と形状保持性を有する高密度ポリエチレンの連糸状材（商品名：テクノロート）を用いる。
【００１４】
本発明の吊紐（７）は紐・テープで材質は使い易いものでよい。
【００１５】
敷物には昭和２年実用新案公告第１５５２３号がある。
【００１６】
図１１、実施例において繋ぎ合わせた３枚の基台（６）の内左右基台（６）の外側の側辺部（９）下部の角部（１０）より中央に向かって側辺に側辺補強帯（１６）を畳表（２）と縁布（３）の間に挟み縁布と同時縫着することもできる。
【００１７】
〔発明の効果〕
１  屋根が汚れていても、ふとん干屋根ご座を用いるので、ふとんを汚さない。
２  ふとん干屋根ご座の吊紐で吊り止めするので、落下しない。
３  ふとん干屋根ご座の落下止帯により、ふとんの落下を防止する。
４  ふとん干屋根ご座は畳表材であるため、屋根に広げ易い。
５  折り畳みのない一枚物のふとん屋根ご座は、屋根に垂らすだけで広がる。
６  ふとん干屋根ご座の収納の際は、折曲自在の落下止帯であるため収納状態に合わせられるので収納に支障はない。
７  ふとん干屋根ご座の開閉紐を交差して吊紐に取りつけると、ふとんを上から押さえられるので、突風による、ふとんのめくれを防止する。
８  雨天以外いつでも、ふとん干ができる。
９  日光によるふとん干は、乾燥機によるふとん干と比べて、ふとんの肌触りの感触が優れている。
１０  日光による殺菌ができる。
１１  日光によるふとん干は、乾燥機によるふとん乾燥に比べて、電力消費が伴わないので、経済的で環境保全にも貢献する。
以上のような効果がある。
【図面の簡単な説明】
【図１】本発明の表面斜視図
【図２】本発明の図１の裏面斜視図
【図３】本発明の表面斜視図
【図４】本発明の図３の裏面斜視図
【図５】本発明の表面斜視図
【図６】本発明の図５の裏面斜視図
【図７】本発明の表面斜視図
【図８】本発明の図７の裏面斜視図
【図９】本発明の図６におけるＡ−Ａ線断面拡大図
【図１０】本発明の図６におけるＢ−Ｂ線断面拡大図
【図１１】本発明の裏面部分拡大斜視図
【符号の説明】
１  ふとん干屋根ご座      ２  畳表      ３  縁布      ４  糸
５  繋糸      ６  基台      ７  上辺部      ８  下辺部      ９  側辺部
１０  角部      １１  吊紐      １２  落下止帯      １３  開閉紐
１４紐輪      １５  落下止帯補強帯      １６  側辺補強帯
１７  フック      １８  補強帯      １９  係止具
【図１】
2004329827.tif 000003
【図２】
2004329827.tif 000004
【図３】
2004329827.tif 000005
【図４】
2004329827.tif 000006
【図５】
2004329827.tif 000007
【図６】
2004329827.tif 000008
【図７】
2004329827.tif 000009
【図８】
2004329827.tif 000010
【図９】
2004329827.tif 000011
【図１０】
2004329827.tif 000012
【図１１】
2004329827.tif 000013